(57)【要約】【課題】マットレスの襠部の形状を安定的に保ちながらコイルコンストラクションの特性をできるだけそのままマットレスの寝心地に反映できるようにする。【解決手段】キルティングパネル２と、コイルコンストラクション３との間に、マットレス１の全周に亘って襠部４を備えてなるベッド用マットレス１である。襠部４は、上縁部５ａにおいてキルティングパネル２に止着されると共に、下縁部５ｂ側にコイルコンストラクション３に対する固定手段５ｄを備え、かつ、この上縁部５ａと下縁部５ｂとの間をこの両縁部５ａ、５ｂよりも内方に位置する屈曲部５ｃとした周回帯状生地５により構成されている。この周回帯状生地５の屈曲部５ｃが、キルティングパネル２とコイルコンストラクション３との間に配されるプラスチックフォーム材６ａよりなるインナーパネル６の外周部６ｃに止着されている。【選択図】図２
2015009045.tif 000002
【特許請求の範囲】
【請求項１】
マットレスの上面部を構成するキルティングパネルと、コイルコンストラクションとの間に、マットレスの全周に亘って襠部を備えてなるベッド用マットレスであって、
前記襠部は、上縁部においてキルティングパネルに止着されると共に、下縁部側にコイルコンストラクションに対する固定手段を備え、かつ、この上縁部と下縁部との間をこの両縁部よりも内方に位置する屈曲部とした周回帯状生地により構成されており、
この周回帯状生地の屈曲部が、前記キルティングパネルとコイルコンストラクションとの間に配されるプラスチックフォーム材よりなるインナーパネルの外周部に止着されていることを特徴とするベッド用マットレス。
【請求項２】
インナーパネルの外周部を、周回帯状生地と補助生地との間に挟んだ状態で、この周回帯状生地の屈曲部に縫着させていることを特徴とする請求項１に記載のベッド用マットレス。
【発明の詳細な説明】
【技術分野】
【０００１】
この発明は、ベッド用のマットレスの改良に関する。
【背景技術】
【０００２】
従来、マットレス１００の上面部１００ａを構成するキルティングパネル２００と、マットレス１００の主要部を構成するコイルコンストラクション３００の間に、マットレス１００の全周に亘って襠部４００を備えたマットレス１００がある。（図４、図５参照）このようなマットレス１００ではその上に横になったときに、前記襠部４００によって、キルティングパネル２００の外周部を内方に撓ませることができ、（図４において符号Ｆで示す向きに撓む。）これによりマットレス１００の使用者に対しキルティングパネル２００によって包み込まれるような印象ないし安定感を与えることが可能となる。
【０００３】
かかるマットレス１００にあっては、前記襠部４００は、上縁部５００ａをキルティングパネル２００に止着させ、下縁部５００ｂ側をフランジ６００と称される生地を介してコイルコンストラクション３００を構成するボーダーワイヤー３００ａに金属リング７００を用いて固定させると共に、この上縁部５００ａと下縁部５００ｂとの間をマットレス１００の内方を屈曲外側とするように屈曲させた周回帯状生地５００（Ｖボーダーなどと称される。）により形成されている。この周回帯状生地５００は、前記屈曲部５００ｃを、コイルコンストラクション３００の上面部と略同じ大きさのインナーパネル８００と称される生地の外周部に止着されている。このインナーパネル８００によって、周回帯状生地５００の屈曲状態、つまり、前記襠部４００の形状が保たれるようになっている。
【０００４】
従来、かかるインナーパネル８００には織布が用いられていた。織布は伸びを生じ難いことから、マットレス１００の左右方向及び上下方向において対向位置にある周回帯状生地の屈曲部間の距離はかかる織布によって安定的に維持可能であり、したがって、織布のインナーパネル８００は前記襠部４００の保形に適している。しかしながら、織布は伸びがたいため、コイルコンストラクョン３００の上面部に張り込まれたインナーパネル８００の張力が、マットレス１００に横になった使用者の寝心地に少なからず影響を与えていた。すなわち、織布をインナーパネル８００として用いると、コイルコンストラクション３００の特性がマットレス１００の寝心地にそのまま反映されない場合がある。これに対し、かかるインナーパネル８００を編布や不織布とした場合には、前記張力の問題は低減可能であるが、これらは伸びやすいため、前記襠部４００の保形力を低下させてしまう。
【発明の概要】
【発明が解決しようとする課題】
【０００５】
この発明が解決しようとする主たる問題点は、マットレスの上面部を構成するキルティングパネルと、マットレスの主要部を構成するコイルコンストラクションの間に、マットレスの全周に亘って襠部を備えたマットレスにおいて、この襠部の形状を安定的に保ちながら、コイルコンストラクションの特性をできるだけそのままマットレスの寝心地に反映できるようにする点にある。
【課題を解決するための手段】
【０００６】
前記課題を達成するために、この発明にあっては、ベッド用マットレスを、マットレスの上面部を構成するキルティングパネルと、コイルコンストラクションとの間に、マットレスの全周に亘って襠部を備えてなるベッド用マットレスであって、
前記襠部は、上縁部においてキルティングパネルに止着されると共に、下縁部側にコイルコンストラクションに対する固定手段を備え、かつ、この上縁部と下縁部との間をこの両縁部よりも内方に位置する屈曲部とした周回帯状生地により構成されており、
この周回帯状生地の屈曲部が、前記キルティングパネルとコイルコンストラクションとの間に配されるプラスチックフォーム材よりなるインナーパネルの外周部に止着されているものとした。
【０００７】
マットレス上に横になると、前記襠部によって、キルティングパネルの外周部を内方に撓ませることができ、これによりマットレスの使用者に対しキルティングパネルによって包み込まれるような印象ないし安定感を与えることができる。前記襠部を構成する周回帯状生地は、その屈曲部をインナーパネルの外周部に止着させていることから、この屈曲部をキルティングパネルに止着された上縁部及びコイルコンストラクションに固定される下縁部よりもマットレスの内方に位置させた状態は維持される。インナーパネルは、プラスチックフィーム材から構成されていることから、マットレス上に横になった場合でも使用者の体重で伸びを生じ難く、マットレスの左右方向及び上下方向において対向位置にある周回帯状生地の屈曲部間の距離は安定的に維持される。したがって、キルティングパネルとコイルコンストラクションとの間にマットレスの全周に亘って襠部を備えたマットレスの外観はマットレスの使用の有無にかかわらず損なわれることがない。その一方で、プラスチックフィーム材から構成されるインナーパネルは、マットレス上に横になった使用者の体重により上下方向に抵抗少なく弾性変形することから、コイルコンストラクションの反発力をインナーパネルによってできるだけ低減されない状態で使用者に伝達させることができる。
【０００８】
前記インナーパネルの外周部を、周回帯状生地と補助生地との間に挟んだ状態で、この周回帯状生地の屈曲部に縫着させておくこともある。このようにした場合、かかる縫着に用いられる糸が縫い針の刺し込み箇所間においてインナーパネルを構成するプラスチックフォーム材に食い込んで切れを生じさせる事態を防止することができる。
【発明の効果】
【０００９】
この発明によれば、マットレスの上面部を構成するキルティングパネルと、マットレスの主要部を構成するコイルコンストラクションの間に、マットレスの全周に亘って襠部を備えたマットレスのこの襠部の形状を、プラスチックフォーム材よりなるインナーパネルによって安定的に保つことができると共に、それがマットレスの寝心地にできるだけ影響を与えないようにすることができる。
【図面の簡単な説明】
【００１０】
【図１】図１はこの発明の一実施の形態にかかるマットレスの斜視構成図である。
【図２】図２は前記マットレスの要部断面構成図である。
【図３】図３は前記マットレスの構成部材を分離した状態で示した要部断面構成図である。
【図４】図４は従来のマットレスの要部断面構成図である。
【図５】図５は従来のマットレスの構成部材を分離した状態で示した要部断面構成図である。
【発明を実施するための形態】
【００１１】
以下、図１〜図３に基づいて、この発明の典型的な実施の形態について、説明する。この実施の形態にかかるベット用マットレス１は、マットレス１の上面部１ａを構成するキルティングパネル２と、コイルコンストラクション３との間に、マットレス１の全周に亘って襠部４を備えてなるタイプのものである。
【００１２】
前記コイルコンストラクション３は、典型的には、ポケットコイル又はオープンコイルの集合体を主体として構成される。図示の例では、コイルコンストラクション３はポケットコイル３ａの集合体から構成されている。各ポケットコイル３ａは、複数の圧縮コイルスプリング３ｂ、３ｂ…を筒状にした不織布製の生地３ｃ内に並列に配してなる。ポケットコイル３ａを構成する各圧縮コイルスプリング３ｂはその中心軸を上下方向に沿わせている。また、各ポケットコイル３ａはそれぞれ、隣り合う圧縮コイルスプリング３ｂ間において前記不織布製の生地３ｃに施される溶着によって、複数のポケット３ｄに区分されている。コイルコンストラクション３は、寄せ集められたポケットコイル３ａの上端部により構成される輪郭を四角形状とする上側の水平面部３ｅと、寄せ集められたポケットコイル３ａの下端部により構成される輪郭を四角形状とする下側の水平面部３ｆと、寄せ集められたポケットコイル３ａのうちの外側に位置されるポケットコイル３ａの側面により構成される前記上下の水平面部３ｅ、３ｆ間に亘る厚さ側面部３ｇとを備えてなる。かかる集合体の上側の水平面部３ｅ及び下側の水平面部３ｆはそれぞれ、ボーダーワイヤー３ｈにより縁取られている。かかるボーダーワイヤー３ｈは、典型的には、金属の線材から構成され、前記水平面部３ｅ、３ｆの輪郭に沿った四角形の枠状を呈している。かかるボーダーワイヤー３ｈは、図示しない金属リングによって、前記集合体を構成するポケットコイル３ａのうちの外側に位置されるポケットコイル３ａの生地３ｃに止め付けられている。すなわち、Ｃ字状をなす図示しない金属リングの内側にボーダーワイヤー３ｈを通すようにした状態でこの金属リングの開放端を前記生地に刺し込んだ後にこの金属リングを屈曲させてこの金属リングの開放箇所を閉じることで、ボーダーワイヤー３ｈを前記集合体に取り付けさせている。前記集合体と、このようにかかる集合体に取り付けられるボーダーワイヤー３ｈとによってマットレス１の主体となるコイルコンストラクション３が構成されている。
【００１３】
前記キルティングパネル２は、前記コイルコンストラクション３の水平面部３ｅと略同じ形状と大きさを備えている。
【００１４】
前記襠部４は、上縁部５ａにおいて前記キルティングパネル２に止着されると共に、下縁部５ｂにコイルコンストラクション３に対する固定手段５ｄを備え、かつ、この上縁部５ａと下縁部５ｂとの間をこの両縁部５ａ、５ｂよりも内方に位置する屈曲部５ｃとした周回帯状生地５により構成されている。
【００１５】
図示の例では、周回帯状生地５は、キルティングパネル２の外郭形状及びコイルコンストラクション３の水平面部３ｅの外郭形状に倣った四角形の枠状に形成され、したがって、四つの隅部５ｅを持つように構成される。前記屈曲部５ｃは、周回帯状生地５の幅方向中程の位置において、この周回帯状生地５を二つ折りにした状態で、この折った箇所５ｆの側方で上下の生地を縫着（この縫着箇所を図３において符号５ｇで示す。）させることで形成されている。
【００１６】
前記固定手段５ｄは、この実施の形態にあっては、周回帯状生地５の下縁部５ｂと屈曲部５ｃとの間に、上縁部を縫着させて下縁部を周回帯状生地５の下縁部５ｂより下方に延び出させたフランジ５ｄ’と称される生地を、周回帯状生地５の全周に亘ってこの周回帯状生地５に設けさせることで構成されている。かかるフランジ５ｄ’は典型的には不織布から構成される。
【００１７】
前記周回帯状生地５の屈曲部５ｃが、前記キルティングパネル２とコイルコンストラクション３との間に配されるプラスチックフォーム材６ａよりなるインナーパネル６の外周部に止着されている。インナーパネル６は、典型的には、キルティングパネル２及びコイルコンストラクション３の水平面部３ｅと略同じ形状と大きさと備えたマット体であり、典型的には、ウレタンフォーム材から構成される。図示の例では、インナーパネル６は、その外縁６ｂを周回帯状生地５の上縁部５ａと略同じ位置に位置させるように構成され、周回帯状生地５の屈曲部５ｃに対しては前記外縁６ｂよりも内方において縫着されるようになっている。インナーパネル６における前記外縁６ｂと前記縫着箇所６ｄとの間にある外周部６ｃは、キルティングパネル２の縁部と周回帯状生地５の上縁部５ａとの間にあって、襠部４上のキルティングパネル２の縁部にボリューム（厚み）を与えるようになっている。かかる周回帯状生地５とインナーパネル６とは、この周回帯状生地５の全周に亘って前記縫着による止着が施される。
【００１８】
この実施の形態にあっては、インナーパネル６の外周部６ｃを前記周回帯状生地５でいわば縁取るように、このインナーパネル６と周回帯状生地５とを前記縫着により一体化させた状態から、この周回帯状生地５の上縁部５ａをキルティングパネル２の外周部にキルティングパネル２の全周に亘って縫着させることで、ピロートップ７が構成される。そして、このように構成されるピロートップ７の前記固定手段５ｄとなるフランジ５ｄ’を、Ｃ字状をなす金属リング８を利用して前記ボーダーワイヤー３ｈに止め着けることで、前記コイルコンストラクション３の上側の水平面部３ｅにキルティングパネル２を張り込んでいる。
【００１９】
図中符号９は、ピロートップ７とコイルコンストラクション３の間に必要に応じて介在されるクッション材であり、このクッション材９もボーダーワイヤー３ｈに対し図示しない金属リングにより固定される。なお、図示の例では、コイルコンストラクション３の下側の水平面部３ｆにも上側の水平面部３ｆと同様の構造をもってキルティングパネル２が張り込まれるようになっている。図中符号１０は、コイルコンストラクション３の側面部３ｇを覆うボーダーと称される生地であり、このボーダー１０の上縁部はピロートップ７を構成する周回帯状生地５の下縁部５ｂに止着されると共に、このボーダー１０の下縁部はコイルコンストラクション３の下側の水平面部３ｆを覆うキルティングパネル２に一体化された周回帯状生地５に止着されている。また、図中符号１１は、マットレス１の外側に位置される前記縫着箇所を化粧するクロージングテープである。
【００２０】
マットレス１上に横になると、前記襠部４によって、キルティングパネル２の外周部を内方に撓ませることができ、これによりマットレス１の使用者に対しキルティングパネル２によって包み込まれるような印象ないし安定感を与えることができる。前記襠部４を構成する周回帯状生地５は、その屈曲部５ｃをインナーパネル６の外周部６ｃに止着させていることから、この屈曲部５ｃをキルティングパネル２に止着された上縁部５ａ及びコイルコンストラクション３に固定される下縁部５ｂよりもマットレス１の内方に位置させた状態は維持される。インナーパネル６は、プラスチックフィーム材６ａから構成されていることから、マットレス１上に横になった場合でも使用者の体重で伸びを生じ難く、マットレス１００の左右方向及び上下方向（すなわち、ベッドの左右方向及び上下方向）において対向位置にある周回帯状生地５の屈曲部５ｃ間の距離ｘは安定的に維持される。したがって、キルティングパネル２とコイルコンストラクション３との間にマットレス１の全周に亘って襠部４を備えたマットレス１の外観はマットレス１の使用の有無にかかわらず損なわれることがない。その一方で、プラスチックフィーム材６ａから構成されるインナーパネル６は、マットレス１上に横になった使用者の体重により上下方向に抵抗少なく弾性変形することから、コイルコンストラクション３の反発力をインナーパネル６によってできるだけ低減されない状態で使用者に伝達させることができる。
【００２１】
また、この実施の形態にあっては、インナーパネル６の外周部６ｃを、周回帯状生地５と補助生地１２との間に挟んだ状態で、この周回帯状生地５の屈曲部５ｃに縫着させるようにしている。このようにした場合、かかる縫着に用いられる糸が縫い針の刺し込み箇所間においてインナーパネル６を構成するプラスチックフォーム材に食い込んで切れを生じさせる事態を防止することができる。
【００２２】
なお、当然のことながら、本発明は以上に説明した実施態様に限定されるものではなく、本発明の目的を達成し得るすべての実施態様を含むものである。
【符号の説明】
【００２３】
１  マットレス
２  キルティングパネル
３  コイルコンストラクション
４  襠部
５  周回帯状生地
５ａ  上縁部
５ｂ  下縁部
５ｃ  屈曲部
５ｄ  固定手段
６  インナーパネル
６ａ  プラスチックフォーム材
６ｃ  外周部
【図１】
2015009045.tif 000003
【図２】
2015009045.tif 000004
【図３】
2015009045.tif 000005
【図４】
2015009045.tif 000006
【図５】
2015009045.tif 000007